(57)【特許請求の範囲】
【請求項１】
乗りかごの天井にファンが設置されたエレベータを制御し、
前記エレベータが通常運転モードで運転しているときは、前記乗りかご上部から前記乗りかご内に向けて送風されるように前記ファンを所定方向に回転させ、前記エレベータが点検運転モードで運転しているときには、前記乗りかご内から前記乗りかご上部に向けて送風されるように、前記ファンを、前記所定方向と逆方向に回転させるファン制御部を備える
ことを特徴とするエレベータ制御装置。
【請求項２】
前記ファン制御部は、前記エレベータが前記点検運転モードで運転しているときに所定操作が行われると、前記ファンを、前記所定方向と逆方向に回転させる
ことを特徴とする請求項１に記載のエレベータ制御装置。
【請求項３】
前記乗りかご上部に設置されたかご上送風スイッチに接続され、
前記ファン制御部は、前記エレベータが前記点検運転モードで運転しているときに前記かご上送風スイッチがON操作されると、前記ファンを、前記所定方向と逆方向に回転させる
ことを特徴とする請求項２に記載のエレベータ制御装置。
【請求項４】
前記エレベータの点検作業時に利用する組み立て式のかご上柵が、前記乗りかご上部で組み立てられた状態であるか否かを検知する組み立て検知センサに接続され、
前記組み立て検知センサで前記かご上柵が組み立てられた状態から畳まれた状態になったことが検知されたときに、前記かご上送風スイッチがON状態であれば、報知情報を出力する報知情報出力部をさらに備える
ことを特徴とする請求項３に記載のエレベータ制御装置。
【請求項５】
乗りかごの天井にファンが設置されたエレベータが通常運転モードで運転しているときは、前記乗りかご上部から前記乗りかご内に向けて送風されるように前記ファンを所定方向に回転させ、前記エレベータが点検運転モードで運転しているときには、前記乗りかご内から前記乗りかご上部に向けて送風されるように、前記ファンを、前記所定方向と逆方向に回転させる
ことを特徴とするエレベータ制御方法。
【発明の詳細な説明】
【技術分野】
【０００１】
本発明の実施形態は、エレベータ制御装置およびエレベータ制御方法に関する。
【背景技術】
【０００２】
エレベータの点検において、作業員が乗りかご上部に乗り、昇降路内で作業を行う場合がある。その場合、昇降路内は風通しがほとんどなく、熱が籠るため、特に夏場は温度が高温になって作業環境が悪くなるという問題がある。
【先行技術文献】
【特許文献】
【０００３】
【特許文献１】特開２０１２−１２１７２２号公報
【特許文献２】特開２０１７−１４９５３０号公報
【発明の概要】
【発明が解決しようとする課題】
【０００４】
上述した問題を解決するために、乗場から乗りかご上部に送風しようとすると、ホールドアを常に開状態にする必要がある。しかし、作業内容によってはホールドアを閉状態にする必要がある場合もあり、実現し難いという問題があった。
【０００５】
本発明は上記事情に鑑みてなされたものであり、エレベータの点検時に、乗りかご上部の作業環境の悪化を防ぐための動作を行うエレベータ制御装置およびエレベータ制御方法の提供を目的とする。
【課題を解決するための手段】
【０００６】
上記目的を達成するための実施形態によればエレベータ制御装置は、乗りかごの天井にファンが設置されたエレベータを制御し、前記エレベータが通常運転モードで運転しているときは、前記乗りかご上部から前記乗りかご内に向けて送風されるように前記ファンを所定方向に回転させ、前記エレベータが点検運転モードで運転しているときには、前記乗りかご内から前記乗りかご上部に向けて送風されるように、前記ファンを、前記所定方向と逆方向に回転させるファン制御部を備える。
【図面の簡単な説明】
【０００７】
【図１】第１実施形態によるエレベータ制御装置を利用したエレベータの構成を示すブロック図。
【図２】第１実施形態によるエレベータ制御装置を利用したエレベータの乗りかご上部に設置された点検用操作盤の構成を示す上面図。
【図３Ａ】第１実施形態によるエレベータ制御装置の動作を示すフローチャート。
【図３Ｂ】第１実施形態によるエレベータ制御装置の動作を示すフローチャート。
【図４】第２実施形態によるエレベータ制御装置を利用したエレベータの構成を示すブロック図。
【図５】第２実施形態によるエレベータ制御装置の動作を示すフローチャート。
【発明を実施するための形態】
【０００８】
《第１実施形態》
〈第１実施形態によるエレベータの構成〉
本発明の第１実施形態によるエレベータ制御装置を用いたエレベータの構成について、図１を参照して説明する。本実施形態によるエレベータ１Ａは、昇降路２内を走行する乗りかご３と、乗りかご３にテールコード４を介して接続されたエレベータ制御装置５とを備える。乗りかご３は、乗りかご３の天井に設置されたファン３１と、ファン３１の回転を駆動するファンモータ３２と、乗りかご３上部の外側に設置された頂部確保照明３３および点検用操作盤３４とを有する。頂部確保照明３３は、点検作業のために、乗りかご３の上部空間を照明する。
【０００９】
点検用操作盤３４は、図２に示すように、安全スイッチ３４１と、点検スイッチ３４２と、頂部確保照明スイッチ３４３と、かご上送風スイッチ３４４とを有する。かご上送風スイッチ３４４の近隣には、当該スイッチ３４４の切り忘れを注意喚起するための情報「切り忘れ注意」が記載されたステッカー３４５が貼付されている。
【００１０】
安全スイッチ３４１は、エレベータ１Ａ内の機器で異常が検出されたときに、利用者の安全を確保するために必要に応じて電源を遮断させる電源遮断信号の出力機能について、有効（入）／無効（切）の切り替え操作を行うためのスイッチである。点検スイッチ３４２は、エレベータ１Ａの運転について、通常運転モード（ＮＯＲ）と点検運転モード（ＩＮＳ）との切り替え操作を行うためのスイッチである。頂部確保照明スイッチ３４３は、頂部確保照明３３について、消灯（ＮＯＲ）／点灯（ＩＮＳ）の切り替え操作を行うためのスイッチである。かご上送風スイッチ３４４は、ファン３１の回転方向を通常運転時とは逆方向する指示の出力（ＯＮ）／出力停止（ＯＦＦ）の切り替え操作を行うためのスイッチである。
【００１１】
エレベータ制御装置５は、操作情報取得部５１と、安全スイッチ制御部５２と、運転モード切替部５３と、照明制御部５４と、ファン制御部５５とを有する。操作情報取得部５１は、点検用操作盤３４内の各スイッチ３４１〜３４４の操作情報を取得する。安全スイッチ制御部５２は、操作情報取得部５１で取得された安全スイッチ３４１の操作情報に基づいて、電源遮断信号の出力機能の有効／無効を切り替える。運転モード切替部５３は、操作情報取得部５１で取得された点検スイッチ３４２の操作情報に基づいて、点検モード運転の実行／停止を切り替える。照明制御部５４は、操作情報取得部５１で取得された頂部確保照明スイッチ３４３の操作情報に基づいて、頂部確保照明３３の点灯／消灯を切り替える。ファン制御部５５は、操作情報取得部５１で取得されたかご上送風スイッチ３４４の操作情報に基づいて、ファン３１の回転方向を切り替えるようにファンモータ３２を駆動する。
【００１２】
〈第１実施形態によるエレベータの動作〉
次に、本実施形態によるエレベータ１Ａの動作について、図３Ａおよび図３Ｂのフローチャートを参照して説明する。エレベータ１Ａの通常運転中は、点検用操作盤３４内の安全スイッチ３４１が「入」状態であり、点検スイッチ３４２が「ＮＯＲ」状態であり、頂部確保照明スイッチ３４３が「ＮＯＲ」状態であり、かご上送風スイッチ３４４が「ＯＦＦ」状態である。また、エレベータ１Ａの通常運転中は、ファン３１が、乗りかご３上部から乗りかご３内に向かって送風するように所定方向に回転している。
【００１３】
エレベータ１Ａの点検作業を行うために作業員が乗りかご３上部に乗り、点検用操作盤３４内の安全スイッチ３４１を「切」側に操作すると、当該操作情報がエレベータ制御装置５の操作情報取得部５１で取得される（Ｓ１の「YES」）。そして、安全スイッチ制御部５２により、エレベータ１Ａ内の機器で異常が検出されたときの電源遮断信号の出力機能が無効に設定される（Ｓ２）。
【００１４】
次に、作業員が点検スイッチ３４２を「ＩＮＳ」側に操作すると、当該操作情報が操作情報取得部５１で取得される（Ｓ３の「YES」）。そして、運転モード切替部５３により、エレベータ１Ａ内が通常運転モードから点検運転モードに切り替えられる（Ｓ４）。
【００１５】
次に、作業員が頂部確保照明スイッチ３４３を「ＩＮＳ」側に操作すると、当該操作情報が操作情報取得部５１で取得される（Ｓ５の「YES」）。そして、照明制御部５４により、頂部確保照明３３が点灯される（Ｓ６）。
【００１６】
次に、作業員がかご上送風スイッチ３４４を「ＯＮ」側に操作すると、当該操作情報が操作情報取得部５１で取得される（Ｓ７の「YES」）。そして、ファン制御部５５により、ファン３１の回転方向を通常運転時とは逆方向にする指示が出力され、ファンモータ３２によりファン３１の回転方向が逆方向に駆動される（Ｓ８）。これにより、乗りかご３内から乗りかご３上部に向けて送風されるようになり、乗りかご３上部の作業者は、ファン３１からの送風を受けて熱が籠らない環境で、点検作業を行うことができる。
【００１７】
点検作業が終了し、作業者により頂部確保照明スイッチ３４３が「ＮＯＲ」側に操作されると（Ｓ９の「YES」）、照明制御部５４により頂部確保照明３３が消灯される（Ｓ１０）。また、作業者により点検スイッチ３４２が「ＮＯＲ」側に操作されると（Ｓ１１の「YES」）、運転モード切替部５３により、エレベータ１Ａ内が点検運転モードから通常運転モードに切り替えられる（Ｓ１２）。また、作業者によりかご上送風スイッチ３４４が「ＯＦＦ」側に操作されると（Ｓ１３の「YES」）、ファン制御部５５により、ファン３１の回転方向が通常運転時の方向になるようにファンモータ３２が駆動される（Ｓ１４）。また、作業者により安全スイッチ３４１が「入」側に操作されると（Ｓ１５の「YES」）、安全スイッチ制御部５２により、エレベータ１Ａ内の機器で異常が検出されたときの電源遮断信号の出力機能が有効に設定される（Ｓ１６）。これらの処理により、エレベータ１Ａ内が通常運転時の状態に戻る。
【００１８】
以上の第１実施形態によれば、エレベータの点検時に、乗りかご上部に送風を行って、作業環境の悪化を防ぐことができる。
【００１９】
《第２実施形態》
〈第２実施形態によるエレベータの構成〉
本発明の第２実施形態によるエレベータ１Ｂの構成は、図４に示すように、乗りかご３上部にかご上柵３５および警報器３６が設置され、エレベータ制御装置５が報知情報出力部５６を有する他は、第１実施形態で説明したエレベータ１Ａの構成と同様であるため、同一機能を有する部分の詳細な説明は省略する。
【００２０】
かご上柵３５は、点検作業時に作業員が利用する組み立て式の柵であり、組み立てられた状態であるか否かを検知する組み立て検知センサ３５１が設けられている。
【００２１】
エレベータ制御装置５の報知情報出力部５６は、点検用操作盤３４のかご上送風スイッチ３４４が「ＯＮ」状態のときに、組み立て検知センサ３５１でかご上柵３５が組み立てられた状態から畳まれた状態になったことが検知されると、報知情報として警報器３６からブザーを鳴動させる。
【００２２】
〈第２実施形態によるエレベータの動作〉
本実施形態によるエレベータ１Ｂの動作について、図５のフローチャートを参照して説明する。エレベータ１Ｂの点検作業を行うために作業員が乗りかご３上部に乗り、かご上柵３５を組み立てると、組み立て検知センサ３５１により、かご上柵３５が組み立てられたことが検知される（Ｓ２１の「YES」）。その後、第１実施形態と同様の処理が実行され、点検作業が実行される。
【００２３】
点検作業が終了し、作業者によりかご上柵３５が畳まれると、組み立て検知センサ３５１により、かご上柵３５が畳まれたことが検知される（Ｓ２２）。このとき、かご上送風スイッチ３４４が「ＯＮ」状態のままであれば（Ｓ２３の「YES」）、報知情報出力部５６から出力される指示により、警報器３６からブザーが鳴動される（Ｓ２４）。
【００２４】
以上の第２実施形態によれば、点検作業が終了して作業員がかご上柵３５を畳んで乗りかご３上部から降りようとするときに、かご上送風スイッチ３４４のＯＦＦ側への操作忘れを防ぐことができる。
【００２５】
上述した第１実施形態および第２実施形態では、かご上送風スイッチ３４４が点検用操作盤３４内に設けられた場合について説明したが、点検用操作盤とは別に、ファン３１に通信接続されたかご上送風スイッチを、乗りかご３上部に設置してもよい。
【００２６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２７】
１Ａ，１Ｂ…エレベータ、２…昇降路、３…乗りかご、４…テールコード、５…エレベータ制御装置、３１…ファン、３２…ファンモータ、３３…頂部確保照明、３４…点検用操作盤、３５…かご上柵、３６…警報器、５１…操作情報取得部、５２…安全スイッチ制御部、５３…運転モード切替部、５４…照明制御部、５５…ファン制御部、５６…報知情報出力部、３４１…安全スイッチ、３４２…点検スイッチ、３４３…頂部確保照明スイッチ、３４４…上送風スイッチ、３４５…ステッカー、３５１…検知センサ
【要約】
【課題】  エレベータの点検時に、乗りかご上部の作業環境の悪化を防ぐための動作を行うエレベータ制御装置およびエレベータ制御方法を提供する。
【解決手段】  実施形態によればエレベータ制御装置は、乗りかごの天井にファンが設置されたエレベータを制御し、前記エレベータが通常運転モードで運転しているときは、前記乗りかご上部から前記乗りかご内に向けて送風されるように前記ファンを所定方向に回転させ、前記エレベータが点検運転モードで運転しているときには、前記乗りかご内から前記乗りかご上部に向けて送風されるように、前記ファンを、前記所定方向と逆方向に回転させるファン制御部を備える。
【選択図】図１【図１】
0006860275.tif 000002
【図２】
0006860275.tif 000003
【図３Ａ】
0006860275.tif 000004
【図３Ｂ】
0006860275.tif 000005
【図４】
0006860275.tif 000006
【図５】
0006860275.tif 000007